(57)【要約】【課題】ロック機構付きの風呂蓋装置を見栄えがよいものにすること。【解決手段】一端部をヒンジ装置２０によって浴槽１に対してヒンジ接続された蓋板５０を有する風呂蓋装置において、浴槽１に対して固定されるヒンジ装置２０の筐体２２内に、蓋板５０を閉位置と開位置の少なくとも何れか一方にロック機構（３２、３４、３６）を設ける。【選択図】図７
2010178851.tif 000002
【特許請求の範囲】
【請求項１】
一端部をヒンジ装置によって浴槽に対してヒンジ接続された蓋板を有し、前記ヒンジ装置のヒンジ軸線を回動中心とした前記蓋板の回動によって前記浴槽の上部開口を開閉可能に蓋する回動開閉式の風呂蓋装置であって、
前記ヒンジ装置は、前記浴槽に対して固定の筐体と、前記筐体に対してヒンジ軸線を回動中心として回動可能に設けられて前記蓋板を接続される可動部材とを有し、
前記筐体内に、前記蓋板を閉位置と開位置の少なくとも何れか一方にロックするロック機構を有する風呂蓋装置。
【請求項２】
前記可動部材は、ヒンジ軸線を回転中心とした回転方向に異なる位置に閉位置用係止部と開蓋位置用係止部とを有し、
前記筐体内には、前記可動部材の回動位置に応じて前記閉位置用係止部と前記開蓋位置用係止部の何れか一方に選択的に係合して前記可動部材の回動を禁止するロック位置と、前記閉位置用係止部と前記開蓋位置用係止部の何れにも係合せず前記可動部材の回動を許すロック解除位置と間に移動可能なロック部材が設けられている請求項１に記載の風呂蓋装置。
【請求項３】
前記ロック部材は、押し引き動作によって前記ロック位置と前記ロック解除位置と間に移動可能であり、押し動作によって前記ロック位置に位置し、引き動作によって前記ロック解除位置に位置する請求項２に記載の風呂蓋装置。
【請求項４】
前記蓋板は前記可動部材に脱着可能に取り付けられ、前記蓋板が前記可動部材に接続された状態に係止する蓋板接続用ロック機構が設けられている請求項１から３の何れか一項に記載の風呂蓋装置。
【請求項５】
前記ヒンジ装置に、前記可動部材を開蓋方向に付勢するアシストばねと、前記可動部材の前記筐体に対する回動に制動作用を付与するダンパ装置が設けられている請求項１から４の何れか一項に記載の風呂蓋装置。
【請求項６】
一端部をヒンジ装置によって浴槽に対してヒンジ接続された蓋板を有し、前記ヒンジ装置のヒンジ軸線を回動中心とした前記蓋板の回動によって前記浴槽の上部開口を開閉可能に蓋する回動開閉式の風呂蓋装置であって、
前記蓋板は中間部においてヒンジ部によって折り曲がり可能になっており、前記ヒンジ部による折り曲り部に、指挟み防止機構が設けられている風呂蓋装置。
【発明の詳細な説明】
【技術分野】
【０００１】
本発明は、風呂蓋装置に関し、特に、ヒンジ接続による回動開閉式の風呂蓋装置に関するものである。
【背景技術】
【０００２】
風呂蓋装置として、一端部をヒンジ装置によって浴槽に対してヒンジ接続された蓋板を有し、前記ヒンジ装置のヒンジ軸線を回動中心とした前記蓋板の回動によって前記浴槽の上部開口を開閉可能に蓋する回動開閉式の風呂蓋装置は従来より知られている（例えば、特許文献１、２）。
【０００３】
また、浴槽の上部開口を閉じた位置に蓋板をロックするロック機構が設けられ、ロック解除操作を行わないと、蓋板が開かないようにして安全性の向上を図ったものがある（例えば、特許文献１）。
【先行技術文献】
【特許文献】
【０００４】
【特許文献１】実開平６−２６２号公報
【特許文献２】特開２００２−２３８７８７号公報
【発明の概要】
【発明が解決しようとする課題】
【０００５】
従来の風呂蓋装置のロック機構は、外部に露呈しているので、見栄えが悪く、邪魔になる。
【０００６】
本発明が解決しようとする課題は、ロック機構付きの風呂蓋装置を見栄えがよいものとし、ロック機構が邪魔にならないようにすることである。
【課題を解決するための手段】
【０００７】
本発明による風呂蓋装置は、一端部をヒンジ装置によって浴槽に対してヒンジ接続された蓋板を有し、前記ヒンジ装置のヒンジ軸線を回動中心とした前記蓋板の回動によって前記浴槽の上部開口を開閉可能に蓋する回動開閉式の風呂蓋装置であって、前記ヒンジ装置は、前記浴槽に対して固定の筐体と、前記筐体に対してヒンジ軸線を回動中心として回動可能に設けられて前記蓋板を接続される可動部材とを有し、前記筐体内に、前記蓋板を閉位置と開位置の少なくとも何れか一方にロックするロック機構を有する。
【０００８】
本発明による風呂蓋装置は、好ましくは、前記可動部材は、ヒンジ軸線を回転中心とした回転方向に異なる位置に閉位置用係止部と開蓋位置用係止部とを有し、前記筐体内には、前記可動部材の回動位置に応じて前記閉位置用係止部と前記開蓋位置用係止部の何れか一方に選択的に係合して前記可動部材の回動を禁止するロック位置と、前記閉位置用係止部と前記開蓋位置用係止部の何れにも係合せず前記可動部材の回動を許すロック解除位置と間に移動可能なロック部材が設けられている。
【０００９】
本発明による風呂蓋装置は、好ましくは、前記ロック部材は、押し引き動作によって前記ロック位置と前記ロック解除位置と間に移動可能であり、押し動作によって前記ロック位置に位置し、引き動作によって前記ロック解除位置に位置する。
【００１０】
本発明による風呂蓋装置は、好ましくは、前記蓋板は前記可動部材に脱着可能に取り付けられ、前記蓋板が前記可動部材に接続された状態に係止する蓋板接続用ロック機構が設けられている。
【００１１】
本発明による風呂蓋装置は、好ましくは、前記ヒンジ装置に、前記可動部材を開蓋方向に付勢するアシストばねと、前記可動部材の前記筐体に対する回動に制動作用を付与するダンパ装置が設けられている。
【００１２】
本発明による風呂蓋装置は、一端部をヒンジ装置によって浴槽に対してヒンジ接続された蓋板を有し、前記ヒンジ装置のヒンジ軸線を回動中心とした前記蓋板の回動によって前記浴槽の上部開口を開閉可能に蓋する回動開閉式の風呂蓋装置であって、前記蓋板は中間部においてヒンジ部によって折り曲がり可能になっており、前記ヒンジ部による折り曲り部に、指挟み防止機構が設けられている。
【発明の効果】
【００１３】
本発明による風呂蓋装置によれば、ヒンジ装置の筐体内にロック機構が設けられるので、ロック機構付きの風呂蓋装置が見栄えがよくなり、ロック機構が邪魔になることもない。
【００１４】
また、可動部材に閉位置用係止部と開蓋位置用係止部とが設けられていて、ロック部材が可動部材の回動位置に応じて閉位置用係止部と開蓋位置用係止部の何れか一方に選択的に係合する構造とすることにより、一つのロック部材によって、可動部材に接続される蓋板を、閉位置と開蓋位置の二つの位置に係止（ロック）することができる。これにより、ユーザは、閉位置ロックと開蓋位置ロックとで、二つのロック機構を使い分けなくてよくなり、使い勝手がよく、安全性に優れたものになる。
【図面の簡単な説明】
【００１５】
【図１】本発明による風呂蓋装置を設置された浴槽の正面図。
【図２】本発明による風呂蓋装置を設置された浴槽の平面図。
【図３】本発明による風呂蓋装置の一つの実施例を示す正面図。
【図４】本実施例による風呂蓋装置のヒンジ装置の拡大平面図。
【図５】図４の線Ｖ−Ｖに沿った断面図。
【図６】図４の線ＶＩ−ＶＩに沿った断面図。
【図７】本実施例による風呂蓋装置のロック機構部分の断面図であり、（ａ）は閉蓋状態を、（ｂ）は開蓋状態を各々示している。
【図８】図４の線ＩＸ−ＩＸに沿った断面図の蓋板取付状態を示す図。
【図９】図４の線ＩＸ−ＩＸに沿った断面図。
【図１０】本発明による風呂蓋装置の他の実施例を示す正面図。
【図１１】他の実施例による風呂蓋装置の要部の底面図。
【図１２】他の実施例による風呂蓋装置の要部の斜視図である。
【発明を実施するための形態】
【００１６】
本発明による風呂蓋装置の一つの実施例を、図１〜図９を参照して説明する。
【００１７】
図１〜図３に示されているように、本実施例の風呂蓋装置１０は、浴槽１の上部フランジ部３に取り付けられたヒンジ装置２０と、一端をヒンジ装置２０に取り付けられた蓋板５０とを有し、ヒンジ装置５０のヒンジ軸線を回動中心とした蓋板５０の回動によって浴槽１の上部開口を開閉可能に蓋する回動開閉式のものである。
【００１８】
なお、以下の説明において、蓋板５０が、図１に実線で示されているように、水平姿勢で、浴槽１の上部フランジ部３上に載せられて上部開口を覆蓋する位置を閉位置、図１に仮想線で示されているように、上方に跳ね上げられた垂直姿勢で、浴槽１の上部フランジ部３より離れて上部開口を開放する位置を開蓋位置と云う。
【００１９】
図４〜図９に示されているように、ヒンジ装置２０は、浴槽１の上部フランジ部３上に固定配置される筐体２２と、筐体２２に回転可能に取り付けられた水平なヒンジ軸２４と、一端の接続基部２６Ａをもってヒンジ軸２４に固定装着され、ヒンジ軸２４の中心軸線、つまり、ヒンジ軸線を回動中心として回動可能に設けられた可動部材２６とを有し、可動部材２６に蓋板５０を取り付けられる。筐体２２は、ヒンジ装置２０のハウジングをなすものであり、ヒンジ軸２４を内蔵している。なお、本実施例では、ヒンジ軸２４は、同一軸線上に分割配置された二つの軸体により構成されている。
【００２０】
筐体２２と可動部材２６との間には、捩りコイルばね２８が取り付けられている。捩りコイルばね２８は、筐体２２内の各ヒンジ軸２４に設けられてヒンジ軸２４を取り巻き、一端２８Ａ（図８、図９参照）を筐体２２に係止され、他端（図示省略）を可動部材２６に係止され、可動部材２６を跳ね上げ方向、つまり開蓋方向（図１、図８、図９で見て反時計廻り方向）にばね付勢している。
【００２１】
これにより、断熱性を高めるために、蓋板５０が重い構造のものになっても、大きい力を要することなく蓋板５０の開蓋操作を容易に行えるようになる。
【００２２】
筐体２２と可動部材２６との間には、各ヒンジ軸２４毎にロータリダンパ３０が取り付けられている。ロータリダンパ３０は、粘性流体封入型の双方向式のものであってよく、可動部材２６の閉じ方向と開き方向の回動に制動作用を付与する。
【００２３】
これにより、重い蓋板５０であっても、蓋板５０の閉じ回動、開き回動が急激に行われなくなり、安全で、蓋板５０の取り扱い性がよくなり、蓋板５０が壁に当たっても、大きい衝撃音を生じることがない。
【００２４】
なお、ロータリダンパ３０は、可動部材２６の閉じ方向と開き方向の何れか一方の回動にのみ制動作用を付与する一方向式のものであってもよく、これらのことは仕様に応じて適宜選択されればよい。
【００２５】
図７に示されているように、可動部材２６の接続基部２６Ａには、上述のヒンジ軸線を回転中心とした回転方向に異なる位置に閉位置用係止部３２と開蓋位置用係止部３４とが形成されている。閉位置用係止部３２は、図７（ａ）に示されているように、可動部材２６が閉位置に相当する回動位置にある時に、略鉛直な背面をなす。これに対し、閉位置用係止部３２は、図７（ｂ)に示されているように、可動部材２６が開蓋位置に相当する回動位置にある時に、略鉛直な背面をなす。
【００２６】
筐体２２にはスライドガイド部２２Ａ（図６参照）が設けられている。スライドガイド部２２Ａは、可動部材２６の背面後方（図１、図７で見て左方）にあり、ロック部材３６を上述のヒンジ軸線と平行な方向に移動可能に支持している。
【００２７】
ロック部材３６は、可動部材２６の回動位置に応じて閉位置用係止部３２と開蓋位置用係止部３４の何れか一方に選択的に係合して可動部材２６の回動を禁止するロック位置と、閉位置用係止部３２と開蓋位置用係止部３４の何れにも係合せず可動部材２６の回動を自由に許すロック解除位置と間に移動可能になっている。
【００２８】
より詳細には、ロック部材３６は、接続基部２６に対向する側に鉛直面部３６Ａ、３６Ｂを有し、ロック位置にあって可動部材２６が閉位置にある場合には、図７（ａ）に示されているように、鉛直面部３６Ａをもって閉位置用係止部３２に面接触して可動部材２６の開蓋方向（反時計廻り方向）の回動を禁止し、同じくロック位置にあって可動部材２６が開蓋位置にある場合には、図７（ｂ）に示されているように、鉛直面部３６Ｂをもって開蓋位置用係止部３４に面接触して可動部材２６の閉蓋方向（時計廻り方向）の回動を禁止する。
【００２９】
ロック部材３６には筐体２２の端部２２Ａより外方に突出した手操作用の操作つまみ３８が取り付けられている。ロック部材３６のロック解除位置よりロック位置への移動は、操作つまみ３８の押し動作によって行われ、ロック部材３６のロック位置よりロック解除位置への移動は、操作つまみ３８の引き動作によって行われる。
【００３０】
上述のロック機構により、ロック部材３６がロック解除位置にある場合には、可動部材２６に接続された蓋板５０は、図１に実線で示されている閉位置と、図１に仮想線で示されている開蓋位置との間に自由に回動移動でき、ユーザは蓋板５０の開閉操作を自由に行うことができる。
【００３１】
これに対し、閉蓋状態で、操作つまみ３８が押されると、ロック部材３６がロック解除位置よりロック位置に移動し、図７（ａ）に示されているように、ロック部材３６の鉛直面部３６Ａが閉位置用係止部３２に面接触することにより、可動部材２６の開蓋方向の回動が禁止され、蓋板５０は閉位置にロックされる。
【００３２】
また、開蓋状態で、操作つまみ３８が押されると、ロック部材３６がロック解除位置よりロック位置に移動し、図７（ｂ）に示されているように、ロック部材３６の鉛直面部３６Ｂが開蓋位置用係止部３４に面接触することにより、可動部材２６の閉蓋方向の回動が禁止され、蓋板５０は開蓋位置にロックされる。
【００３３】
このように、一つのロック部材３６によって、蓋板５０を、閉位置と開蓋位置の二つの位置に係止（ロック）することができる。これにより、ユーザは、閉位置ロックと開蓋位置ロックとで、二つのロック機構を使い分けなくてよくなり、使い勝手がよく、安全性に優れたものになる。
【００３４】
上述の閉位置用係止部３２、開蓋位置用係止部３４、ロック部材３６よりなるロック機構は、筐体２２内に配置されるから、当該ロック機構が風呂蓋装置１０の見栄えを悪くすることがなく、入浴や清掃の邪魔になることがない。
【００３５】
蓋板５０の閉位置、開蓋位置のロック解除は、操作つまみ３８を引くことにより行われる。したがって、操作つまみ３８を押すことによってロック解除する場合に比して、誤って、あるいは意に反してロック解除される可能性が低減し、併せてチャイルドプルーフ性、タンパプルーフ性が向上する。
【００３６】
可動部材２６の蓋板接続部２６Ｂは、図４に示されているように、四角舌片状をしており、図８、図９に示されているように、蓋板５０の一端部に形成されたスロット状の差込凹部５２に抜き差し可能に差し込まれることにより、蓋板５０を脱着可能に取り付けられる。
【００３７】
蓋板接続部２６Ｂの上面側には、板ばね４０によって突出方向にばね付勢された逆止爪形状の蓋板接続用ロック部材４２が取り付けられている。蓋板５０の差込凹部５２には更に係合孔５４が形成されている。差込凹部５２の奧まで蓋板接続部２６Ｂが差し込まれて蓋板５０が正規の接続位置に位置すると、蓋板接続用ロック部材４２が板ばね４０のばね力によって係合孔５４に逆止係合し、蓋板５０が蓋板接続部２６Ｂより抜けない接続状態（ロック状態）になる。
【００３８】
蓋板５０にはロック解除スライダ５６が設けられている。ロック解除スライダ５６は係合孔５４の部分にあり、図８で見て左側にスライドされることにより、蓋板接続用ロック部材４２を板ばね４０のばね力に抗して押し下げて蓋板接続用ロック部材４２を係合孔５４との係合より離脱させる。これにより、ロック解除スライダ５６の操作によってロックが解除され、蓋板５０を蓋板接続部２６Ｂより取り外すことができる状態になる。
【００３９】
このように、蓋板５０をヒンジ装置２０より取り外すことができるので、蓋板５０やヒンジ装置２０、ヒンジ装置２０周辺の清掃を、容易に、隅々まで行うことができるようになる。また、蓋板５０はロック機構付きでヒンジ装置２０に接続されるので、不用意に、あるいはユーザの意に反して蓋板５０がヒンジ装置２０より外れることがない。
【００４０】
更に、蓋板５０は、図１〜図３に示されているように、中間部においてヒンジ部５８によって取付基部片５０Ａと先端片５０Ｂとの２分割構成で、折り曲がり可能（中折れ可能)な構造になっている。蓋板５０の先端片５０Ｂには蓋操作用摘み６４が形成されている。
【００４１】
ヒンジ部５８は、蓋板５０の下底表層のフレキジブルヒンジであり、取付基部片５０Ａと先端片５０ＢとがΛ形に折り畳まれることを許すが、それとは逆のＶ形には折り曲げられない構造になっている。これにより、閉蓋状態にある蓋板５０の先端片５０Ｂだけが持ち上げて不当に蓋板５０が開くことが回避される。
【００４２】
ヒンジ部５８において相対向する取付基部片５０Ａと先端片５０Ｂの端面部分は、指挟み防止のためのスポンジ部材６０、６２が取り付けられている。
【００４３】
これにより、ヒンジ部５８における取付基部片５０Ａと先端片５０Ｂの端面間の細長い空間がスポンジ部材６０、６２によって埋められ、この空間に指を入れることができなくなり、指挟みが防止される。また、スポンジ部材６０、６２であるので、この部分で指を詰めても、スポンジ部材６０、６２が弾性変形することで、指を傷めることがない。
【００４４】
図１０〜図１２は、本発明による風呂蓋装置の蓋板の他の実施例を示している。
【００４５】
この実施例では、蓋板５０は、前述の実施例と同様に、取付基部片５０Ａと先端片５０Ｂとの２分割構造であるが、取付基部片５０Ａと先端片５０Ｂとを分離可能なヒンジ装置７０が用いられている。
【００４６】
ヒンジ装置７０は、取付基部片５０Ａに固定装着された両端開口の中空筒体７２と、中空筒体７２の両端部に対応する位置において先端片５０Ｂに固定装着された二つの支持体７４と、支持体７４の円筒中空部７６に移動可能に設けられて中空筒体７２の端部開口に出入可能に且つ回動可能に係合する係合するピン部７８を有するスライダ８０とを有する。スライダ８０は、圧縮コイルばね８１によって中空筒体７２の端部開口に突入する方向に付勢されている。
【００４７】
スライダ８０には、支持体７４に形成された切欠き部８２に位置してスライダ８０を外部より操作するための操作部８４が設けられている。操作部８４には、支持体７４に形成された係止孔７５に係脱可能に係合するロック爪８５が形成されている。ロック爪８５が係止孔７５に係合することにより、スライダ８０はピン部７８が中空筒体７２の端部開口より抜け出した位置に保持される。
【００４８】
このヒンジ装置７０によれば、スライダ８０のピン部７８を中空筒体７２の端部開口に挿入した状態では、取付基部片５０Ａと先端片５０Ｂとがヒンジ接続され、スライダ８０のピン部７８を中空筒体７２の端部開口より抜き出すと、取付基部片５０Ａと先端片５０Ｂとが分離され、取付基部片５０Ａと先端片５０Ｂとを個別に取り扱えるようになる。これにより、取付基部片５０Ａ、先端片５０Ｂによる蓋板５０の清掃が、より一層、容易になる。
【００４９】
ヒンジ装置７０の部分において相対向する取付基部片５０Ａと先端片５０Ｂの端面部分は、指挟み防止部材８６、８８が取り付けられている。指挟み防止部材８６、８８は、取付基部片５０Ａ、先端片５０Ｂの端面部分に突没可能に設けられていて、内蔵ばね９０、９２によって突出方向に付勢されている。
【００５０】
これにより、ヒンジ装置７０の部分における取付基部片５０Ａと先端片５０Ｂの端面間の細長い空間が指挟み防止部材８６、８８によって埋められ、この空間に指を入れることができなくなり、指挟みが防止される。指挟み防止部材８６、８８で突没可能であるので、指挟み防止部材８６、８８が取付基部片５０Ａと先端片５０Ｂとの折り畳みを阻害することがない。また、指挟み防止部材８６、８８は突没自在であるので、この部分で指を詰めても、指挟み防止部材８６、８８が逃げることで、指を傷めることがない。
【符号の説明】
【００５１】
１  浴槽
１０  風呂蓋装置
２０  ヒンジ装置
２２  筐体
２４  ヒンジ軸
２６  可動部材
２８  捩りコイルばね
３０  ロータリダンパ
３２  閉位置用係止部
３４  開蓋位置用係止部
３６  ロック部材
３８  操作つまみ
４２  蓋板接続用ロック部材
５０  蓋板
５２  差込凹部
５４  係合孔
５６  ロック解除スライダ
６０、６２  スポンジ部材
７０  ヒンジ装置
８６、８８  指挟み防止部材
【図１】
2010178851.tif 000003
【図２】
2010178851.tif 000004
【図３】
2010178851.tif 000005
【図４】
2010178851.tif 000006
【図５】
2010178851.tif 000007
【図６】
2010178851.tif 000008
【図７】
2010178851.tif 000009
【図８】
2010178851.tif 000010
【図９】
2010178851.tif 000011
【図１０】
2010178851.tif 000012
【図１１】
2010178851.tif 000013
【図１２】
2010178851.tif 000014